(57)【要約】マルチプル無線ネットワークのための自動発呼を実行するための技術が、説明される。端末は、呼び出しを自動的に開始し、発呼失敗の場合には、フォールバックをサポートする。端末は、ネットワーク利用可能性とネットワーク選択情報（５１２）とに基づいて、呼び出しについて最も好ましい無線ネットワークを選択する。端末は、選択された無線ネットワーク（５１４）上で呼び出しの開始を試みる。発呼が失敗する場合は、そのときは、端末は、ネットワーク利用可能性とネットワーク選択情報とに基づいて、代替無線ネットワークを選択してもよいし、代替無線ネットワーク（５１８）上で呼び出しの開始を試みてもよい。もし、回路交換音声呼び出しよりもＶｏＩＰ呼び出しが好まれる場合は、そのときは、端末は、最初に、パケット交換の無線ネットワーク上でＶｏＩＰ呼び出しの開始を試みることができる。ＶｏＩＰ呼び出しが失敗する場合、そのときは、端末は、回路交換無線ネットワーク上で回路交換音声呼び出しの開始を試みることができる。
2009526444.tif 000002
【特許請求の範囲】
【請求項１】
第１の無線ネットワーク上でパケット交換音声呼び出しの開始を試みるように、また前記パケット交換音声呼び出しが失敗する場合は、第２の無線ネットワーク上で回路交換音声呼び出しの開始を試みるように、構成された少なくとも１つのプロセッサと、
前記少なくとも１つのプロセッサに結合されるメモリと、
を備える装置。
【請求項２】
前記少なくとも１つのプロセッサは、前記第１の無線ネットワークが利用可能かどうかを決定するように、また前記第１の無線ネットワークが利用可能な場合は、前記パケット交換音声呼び出しの開始を試みるように、構成される、請求項１に記載の装置。
【請求項３】
前記少なくとも１つのプロセッサは、前記第２の無線ネットワークが利用可能かを決定するように、また前記パケット交換音声呼び出しが失敗し、前記第２の無線ネットワークが利用可能な場合は、前記回路交換音声呼び出しの開始を試みるように、構成される、請求項１に記載の装置。
【請求項４】
前記メモリは、前記装置によってサポートされる無線ネットワークと前記サポートされる無線ネットワークの中のプリファレンスとを示す情報を保存するように、構成される、請求項１に記載の装置。
【請求項５】
前記少なくとも１つのプロセッサは、プレファレンス情報に基づいて、少なくとも１つの回路交換無線ネットワークと少なくとも１つのパケット交換無線ネットワークとの中から、前記第１の無線ネットワークを選択するように、構成される、請求項１に記載の装置。
【請求項６】
前記少なくとも１つのプロセッサは、プレファレンス情報に基づいて、少なくとも１つの回路交換無線ネットワークと少なくとも１つのパケット交換無線ネットワークとの中から前記第２の無線ネットワークを選択するように、構成される、請求項１に記載の装置。
【請求項７】
前記第１の無線ネットワークは、無線ローカルエリアネットワーク（ＷＬＡＮ）であって、前記第２の無線ネットワークは無線広域ネットワーク（ＷＷＡＮ）である、請求項１に記載の装置。
【請求項８】
第１の無線ネットワーク上でパケット交換音声呼び出しの開始を試みるための手段と、
前記パケット交換音声呼び出しが失敗する場合は、第２の無線ネットワーク上で回路交換音声呼び出しの開始を試みるための手段と、
を備える装置。
【請求項９】
プレファレンス情報に基づいて、少なくとも１つの回路交換無線ネットワークと少なくとも１つのパケット交換の無線ネットワークとの中から前記第１の無線ネットワークを選択するための手段、をさらに備える請求項８に記載の装置。
【請求項１０】
前記第２の無線ネットワークが利用可能かどうかを決定するための手段と、
前記パケット交換音声呼び出しが失敗し、前記第２の無線ネットワークが利用可能である場合、前記回路交換音声呼び出しの開始を試みるための手段と、
をさらに備える、請求項８に記載の装置。
【請求項１１】
第１の無線ネットワーク上で、パケット交換音声呼び出しの開始を試みるように、そして
前記パケット交換音声呼び出しが失敗する場合は、第２の無線ネットワーク上で、回路交換音声呼び出しの開始を試みるように
動作可能なインストラクション、
を保存するためのプロセッサ可読メディア。
【請求項１２】
プリファレンス情報に基づいて、少なくとも１つの回路交換無線ネットワークとすくなくとも１つのパケット交換無線ネットワークとの中から、前記第１のネットワークを選択するように
さらに動作可能なインストラクション、
を保存するための請求項１１に記載のプロセッサ可読メディア。
【請求項１３】
前記第２の無線ネットワークが利用可能かどうかを決定するように、そして
前記パケット交換音声呼び出しが失敗し、前記第２の無線ネットワークは利用可能である場合、前記回路交換音声呼び出しの開始を試みるように
さらに動作可能なインストラクション、
を保存するための請求項１１に記載のプロセッサ可読メディア。
【請求項１４】
ネットワーク選択情報を保存するように構成されるメモリと、
前記ネットワーク選択情報と呼び出しをサポートする無線ネットワークの利用可能性とに基づいて、前記呼び出しについて、第１の無線ネットワークを選択するように、また、前記第１の無線ネットワーク上で前記呼び出しの開始を試みるように、構成され、かつ、前記メモリに結合される、少なくとも１つのプロセッサと、
を備える、装置。
【請求項１５】
前記ネットワーク選択情報は、前記呼び出しをサポートする前記無線ネットワークの中のプリファレンスを示しており、また、前記第１の無線ネットワークは、前記呼び出しをサポートする利用可能な無線ネットワークの中で最も好ましい無線ネットワークである、請求項１４に記載の装置。
【請求項１６】
前記少なくとも１つのプロセッサは、少なくとも１つのパケット交換無線ネットワークと少なくとも１つの回路交換無線ネットワークとの中から、前記第１の無線ネットワークを選択するように構成される、請求項１４に記載の装置。
【請求項１７】
前記第１の無線ネットワーク上で前記呼び出しの前記開始が失敗する場合、前記少なくとも１つのプロセッサは、前記ネットワーク選択情報と前記呼び出しをサポートする前記無線ネットワークの前記利用可能性とに基づいて、前記呼び出しについて、第２の無線ネットワークを選択するように、また、前記第２の無線ネットワーク上で前記呼び出しの開始を試みるように、構成される、請求項１４に記載の装置。
【請求項１８】
前記第１の無線ネットワークはパケット交換無線ネットワークであって、前記第２の無線ネットワークは回路交換無線ネットワークである、請求項１７に記載の装置。
【請求項１９】
前記呼び出しは音声呼び出しであり、また前記第１の無線ネットワークはパケット交換無線ネットワークである、請求項１４に記載の装置。
【請求項２０】
前記呼び出しはデータ呼び出しであり、また前記第１の無線ネットワークはパケット交換無線ネットワークである、請求項１４に記載の装置。
【請求項２１】
ネットワーク選択情報と呼び出しをサポートする無線ネットワークの利用可能性とに基づいて、前記呼び出しについて、第１の無線ネットワークを選択することと、
前記第１の無線ネットワーク上で前記呼び出しの開始を試みることと、
を備える方法。
【請求項２２】
前記第１の無線ネットワークを前記選択することは、
少なくとも１つのパケット交換無線ネットワークと少なくとも１つの回路交換無線ネットワークとの中から、前記第１の無線ネットワークを選択すること、
を備える、請求項２１に記載の方法。
【請求項２３】
前記第１の無線ネットワーク上で、前記呼び出しの前記開始が失敗する場合は、
前記ネットワーク選択情報と前記呼び出しをサポートする前記無線ネットワークの前記利用可能性とに基づいて、前記呼び出しについて、第２の無線ネットワークを選ぶことと、
前記第２の無線ネットワーク上で前記呼び出しの開始を試みることと、
をさらに備える、請求項２１に記載の方法。
【請求項２４】
ネットワーク選択情報と呼び出しをサポートする無線ネットワークの利用可能性とに基づいて、前記呼び出しについて、第１の無線ネットワークを選択するように、そして
前記第１の無線ネットワーク上で、前記呼び出しの開始を試みるように
動作可能なインストラクション、
を保存するためのプロセッサ可読メディア
【請求項２５】
少なくとも１つのパケット交換無線ネットワークと少なくとも１つの回路交換無線ネットワークとの中から、前記第１の無線ネットワークを選択するように
さらに動作可能なインストラクション、
を保存するための請求項２４に記載のプロセッサ可読メディア。
【請求項２６】
前記第１の無線ネットワーク上で、前記呼び出しの前記開始が失敗する場合、
前記ネットワーク選択情報と前記呼び出しをサポートする前記無線ネットワークの前記利用可能性とに基づいて、前記呼び出しについて、第２の無線ネットワークを選択するように、
そして前記第２の無線ネットワーク上で、前記呼び出しの開始を試みるように
がさらに動作可能なインストラクション、
を保存するための請求項２４に記載のプロセッサ可読メディア。
【発明の詳細な説明】
【背景】
【０００１】
（分野）
本開示は、一般に通信に関し、より具体的には、端末による呼び出しを開始する(originating)ための技術に関する。
【０００２】
（背景）
無線通信システムは、音声、パケットデータなどのような、様々な通信サービスを提供するために、広く展開されている。これらの無線ネットワークは、広い地理エリアのための通信サービスエリア(communication coverage)を提供する無線広域エリアネットワーク(wireless wide area networks)（ＷＷＡＮｓ）と、中規模の地理エリアのための通信サービスエリアを提供する無線ローカルエリアネットワーク(wireless local area networks)（ＷＬＡＮｓ）と、そして、狭い地理エリアのための通信サービスエリアを提供する無線パーソナルエリアネットワーク(wireless personal area networks)（ＷＰＡＮｓ）と、を含む。異なる無線ネットワークは典型的に、異なる機能(capabilities)、要件(requirements)およびサービスエリアを有する。
【０００３】
マルチモード端末は、異なる無線ネットワークと通信することができる可能性がある。端末は、いつなんどきでも、０、１あるいはマルチプルの無線ネットワークのサービスエリア内に設置されることができる。端末は、特定の通信サービスを得るために、呼び出しを行なう(make a call)ように、（例えば、ユーザによって）もたらされる(invoked)ことができる。ユーザの観点から、サービスを得ることに主な関心を持っているユーザにとって透明な方法で呼び出しが行なわれるというのが望ましい。しかしながら、もし端末が複数の異なる無線ネットワークと通信することができる場合、そのときは、呼び出しがどのように行なわれるべきかを決定することにおいて、課題があるかもしれない。
【０００４】
したがって、マルチモード端末による効率的な発呼を扱う技術に関して、当技術分野において必要がある。
【発明の開示】
【概要】
【０００５】
マルチプル無線ネットワークについての自動発呼(automatic call origination)を実行するための技術が、ここに説明される。一態様においては、端末は、呼び出し（例、音声呼び出しあるいはデータ呼び出し）を自動的に開始し、発呼失敗の場合には、フォールバック(fallback)をサポートする。一実施形態においては、端末は、ネットワーク利用可能性とネットワーク選択情報(network selection information)に基づいて、呼び出しについて、最も好ましい無線ネットワーク(the most preferred wireless network)を選択する。ネットワーク利用可能性は、端末についての呼び出しをサポートすることができる無線ネットワークの利用可能性を指す。ネットワーク選択情報は、発呼についての無線ネットワークを選択するために使用されることができる任意の情報を備えることができる。端末は、選択された無線ネットワーク上で、呼び出しの開始を試みる。発呼が失敗する場合には、そのときは、端末は、ネットワーク利用可能性とネットワーク選択情報に基づいて、代替無線ネットワークを選択するかもしれないし、また、その後で、代替無線ネットワーク上で呼び出しの開始を試みるかもしれない。
【０００６】
自動発呼の一実施形態においては、音声呼び出しについて利用可能な無線ネットワークは識別される。ボイスオーバインターネットプロトコル(voice over Internet Protocol)（ＶｏＩＰ）呼び出しが回路交換音声呼び出し(circuit-switched voice call)よりも好まれる場合は、第１の無線ネットワークは、ネットワーク選択情報に基づいて、利用可能なパケット交換無線ネットワーク（単数または複数）(packet-switched wireless network(s))の中から選択されてもよい。ＶｏＩＰ呼び出しの開始は、その後で第１の無線ネットワーク上で試みられる。ＶｏＩＰ呼び出しが失敗する場合、第２の無線ネットワークは、ネットワーク選択情報に基づいて、利用可能な無線ネットワーク（単数または複数）の中から、選択されてもよい。第２の無線ネットワークが回路交換無線ネットワークである場合、そのとき、回路交換音声呼び出しの開始は、第２の無線ネットワーク上で試みられる。一般に、第１のおよび第２の無線ネットワークは各々、パケット交換無線ネットワークあるいは回路交換無線ネットワークであってもよく、ネットワーク選択情報によって示されるプレファレンス(preference)に基づいて、選択されることができる。
【０００７】
本発明の種々な態様相および実施形態は、さらに詳細に以下に説明される。
【詳細な説明】
【０００８】
本発明の特徴および本質は、同様の参照文字が全体を通して同様に識別する図面と併せて、以下に記述される詳細な説明から、より明らかになるであろう。
【０００９】
用語「例示的な(exemplary)」は、「例(example)、インスタンス(instance)、又は例証(illustration)として機能している」を意味するように、ここでは使用されている。「例示的な」としてここに説明されるいずれの実施形態あるいは設計(design)も、他の実施形態あるいは設計よりも、好ましいまたは有利であるとして、必ずしも解釈されるべきではない。
【００１０】
図１は、地理的なエリア内の様々な無線ネットワークの展開を示す。これらの無線ネットワークは、４つのＷＷＡＮおよび１つのＷＬＡＮを含んでいる。
【００１１】
ＷＷＡＮは、大きな地理エリア、例えば、都市、州、あるいは国全体に通信サービスエリアを提供する無線ネットワークである。ＷＷＡＮは、利用可能ネットワークリソースを共有することによって、複数のユーザをサポートすることが可能なマルチプル接続ネットワークであってもよい。マルチプル接続ネットワークのいくつかの例は、符号分割多元接続（ＣＤＭＡ）ネットワーク、時分割多元接続（ＴＤＭＡ）ネットワーク、周波数分割多元接続（ＦＤＭＡ）ネットワークおよび直交ＦＤＭＡ（ＯＦＤＭＡ）ネットワークを含んでいる。ＣＤＭＡネットワークは、ｃｄｍａ２０００、広帯域ＣＤＭＡ（Ｗ−ＣＤＭＡ）などのような無線技術をインプリメントしてもよい。ｃｄｍａ２０００はＩＳ−２０００、ＩＳ−８５６およびＩＳ−９５標準規格をカバーする(covers)。ＣＤＭＡ２０００  １ｘ（あるいは単に「１ｘ」）ネットワークは、ＩＳ−２０００および／またはＩＳ−９５をインプリメントする無線ネットワークである。ＣＤＭＡ２０００  １ｘＥＶ−ＤＯ（あるいは、単に「１ｘＥＶ−ＤＯ」）ネットワークは、ＩＳ−８５６をインプリメントする無線ネットワークである。ユニバーサルモバイルテレコミュニケーションシステム(Universal Mobile Telecommunications System)（ＵＭＴＳ）ネットワークは、Ｗ−ＣＤＭＡをインプリメントする無線ネットワークである。ＴＤＭＡネットワークは、モバイル通信のためのグローバルシステム(Global System for Mobile Communications)（ＧＳＭ）のような無線技術をインプリメントすることができる。これらの様々な無線技術、標準規格およびセルラネットワークは、当技術分野において知られている。Ｗ−ＣＤＭＡおよびＧＳＭは、「第三世代パートナーシッププロジェクト」（３ＧＰＰ）と名づけられたコンソーシアム、のドキュメントにおいて説明されている。ｃｄｍａ２０００は、「第三世代パートナーシッププロジェクト２」（３ＧＰＰ２）と名づけられたコンソーシアム、のドキュメントにおいて説明されている。３ＧＰＰおよび３ＧＰＰ２のドキュメントは、公的に入手可能である。
【００１２】
図１は、４つのＷＷＡＮ―１ｘ、１ｘＥＶ−ＤＯ、ＵＭＴＳおよびＧＳＭの展開を示す。各ＷＷＡＮは、典型的に、そのＷＷＡＮのサービスエリア内の端末のための通信をサポートする多くの基地局を含む。基地局（１ｘ用語）は、典型的に端末と通信する固定局であって、またノードＢ（ＵＭＴＳおよびＧＳＭ用語）、アクセスポイント（１ｘＥＶ−ＤＯ用語）あるいは他の用語で、呼ばれることができる。簡潔にするために、図１は、１ｘネットワークについての１つの基地局１１０、１ｘＥＶ−ＤＯネットワークについての１つのアクセスポイント１１２、ＵＭＴＳネットワークについての１つのノードＢ  １１４およびＧＳＭネットワークについての１つのノードＢ  １１６、のみを示す。
【００１３】
ＷＬＡＮは、例えば、ビル、モール、空港ターミナルなどのような、中規模の地理的なエリアのための通信サービスエリアを提供する無線ネットワークである。ＷＬＡＮは、ＩＥＥＥ  ８０２．１１ファミリの標準規格、いくつかの他のＷＬＡＮ標準規格、あるいはいくつかの他のＷＬＡＮ無線技術、をインプリメントすることができる。Ｗｉ−Ｆｉネットワークは、ＩＥＥＥ  ８０２．１１をインプリメントするＷＬＡＮである。ＷＬＡＮは、任意の数の局についての無線通信をサポートする任意の数のアクセスポイントも含んでもよい。簡潔にするために、１つのみのアクセスポイント１１８が図１において示されている。ＷＬＡＮ局はまた、ピアツーピア通信(peer-to-peer communication)を介して、別のＷＬＡＮ局と直接に通信することができる。
【００１４】
１ｘネットワークにおける基地局、ＵＭＴＳネットワークにおけるノードＢ(Node Bs)、および／または、ＧＳＭネットワークにおけるノードＢは、ローミングおよび高度なサービスをサポートするコアネットワーク１３０に結合することができる。コアネットワーク１３０は、ＡＮＳＩ−４１、ＧＳＭモバイルアプリケーションパート(GSM Mobile Application Part)（ＧＳＭ−ＭＡＰ）、および／または、いくつかの他のネットワーキングプロトコル(networking protocol)、をインプリメントすることができる。１ｘＥＶ−ＤＯネットワークにおけるアクセスポイント、ＷＬＡＮにおけるアクセスポイントおよび／またはＵＭＴＳネットワークにおけるノードＢは、ＶｏＩＰ、ビデオ会議、ストリーミングデータなどのようなマルチメディアサービスを提供することができるインターネットプロトコル（ＩＰ）マルチメディアサブシステム(Internet Protocol (IP) Multimedia Subsystem)（ＩＭＳ）／マルチメディアドメイン(Multimedia Domain)（ＭＭＤ）ネットワーク１３２に結合してもよい。コアネットワーク１３０は、バックボーンを介して、ＩＭＳ／ＭＭＤネットワーク１３２に結合することができる。その後で、ネットワーク１３０および１３２は、基地局と、ノードＢと、およびこれらのネットワークによってサーブされるアクセスポイントと、通信する端末についての接続を提供することが出来る。
【００１５】
様々な端末１２０は、図１における無線ネットワークのサービスエリア全体にわたって散らばっている(dispersed)。端末は固定、あるいはモバイルであってもよく、また移動局（１ｘ用語）、ユーザ機器（ＵＭＴＳおよびＧＳＭ用語）、アクセス端末（１ｘＥＶ−ＤＯ用語）、局（ＩＥＥＥ  ８０２．１１用語）、加入者ユニットなどと呼ばれることができる。端末は、携帯電話(cellular phone)、ハンドヘルドデバイス(handheld device)、無線デバイス、携帯型情報端末(personal digital assistant)（ＰＤＡ）、ラップトップコンピュータ、無線モデム、ハンドセット、などであってもよい。簡潔にするために、用語「端末」(“terminal”)は、以下の説明の多くにおいて、固定局と通信するデバイスについて使用される。
【００１６】
マルチモード端末は、ＷＷＡＮｓおよび／またはＷＬＡＮｓを含むことができるマルチプル無線ネットワークと通信することが可能である。マルチモード端末は、端末の位置(location)と、またそれが無線ネットワークのサービスエリア内にあるかどうかと、によって、いつなんどきでも１つ以上の無線ネットワークと通信することができる可能性がある。図１において示される例では、端末１２０ａは、１ｘ、ＵＭＴＳおよびＧＳＭネットワークと通信することができ、端末１２０ｂは、ＧＳＭネットワークとＷＬＡＮと通信することができ、端末１２０ｃは１ｘおよび１ｘＥＶ−ＤＯネットワークとＷＬＡＮと通信することができ、また、端末１２０ｄは１ｘＥＶ−ＤＯネットワークとＷＬＡＮと通信することができる。端末は、したがって、ＷＬＡＮ局同様ＷＷＡＮデバイス、例えばＷＬＡＮ機能(WLAN capability)を備えた携帯電話、であってもよい。
【００１７】
一般に、端末は、任意の無線技術の任意の数の無線ネットワークと通信することができる可能性がある。ここに説明された自動発呼技術は、様々な無線ネットワークおよび無線技術に使用されることができる。明確にするために、これらの技術は、図１において示される５つの無線ネットワークと通信することが可能な端末について、具体的に以下に説明される。簡潔のために、用語「基地局」(“base station”)は、以下の説明の多くにおいて、固定局について使用される。
【００１８】
図２は、マルチモード端末１２０ｘの一実施形態を示しており、それは図１において示される任意の端末であってもよい。この実施形態においては、端末１２０ｘは、処理モジュール２００およびメモリ２６０を含んでいる。
【００１９】
モジュール２００の処理内で、上層アプリケーション(higher layer applications)２１０は、様々なエンドユーザアプリケーション(end-user applications)、例えば、ユーザインターフェース(user interface)（ＵＩ）アプリケーションと、音声サービスを提供する音声アプリケーション、データサービスを提供するデータアプリケーション、ユーザブラウザ、Ｅメールクライアント(email client)など、を含んでいる。音声およびデータのアプリケーションは、音声とデータの呼び出しを開始するリクエストをそれぞれ生成することができる。
【００２０】
呼び出しマネージャ２２０は、例えば、上層アプリケーション２１０によって指図されるような、呼び出しの、開始（origination）、確立(establishment)および切断(tear down)を、制御する。呼び出しマネージャ２２０は、上層アプリケーション２１０が発呼をリクエストすることを可能にするために、アプリケーションプログラミングインターフェイス(application programming interfaces)（ＡＰＩｓ）を提供することができる。呼び出しマネージャ２２０は、特定タイプの呼び出し(calls of specific types)を行なうために上層アプリケーション２１０から指示を受け取ってもよい。その後で、呼び出しマネージャ２２０は、呼び出しを開始し、呼び出しの開始を制御し、呼び出しの状態の経過を追うなどのために、無線ネットワークを選択してもよい。
【００２１】
呼び出し処理エンティティ(call processing entity)２３０は、様々な無線技術についての処理を実行する。図２において示される実施形態では、呼び出し処理エンティティ２３０は、回路交換無線ネットワークについてのセクション２３２と、パケット交換無線ネットワークについてのセクション２３４と、を含む。セクション２３２は、１ｘについてのモジュール２４２ａ、ＵＭＴＳについてのモジュール２４２ｂおよびＧＳＭについてのモジュール２４２ｃを含む。セクション２３４は、データプロトコルモジュール２４０、１ｘＥＶ−ＤＯについてのモジュール２４２ｄ、ＵＭＴＳについてのモジュール２４２ｅおよびＷｉ−Ｆｉについてのモジュール２４２ｆを含む。データプロトコルモジュール２４０は、例えば、セッションイニシエーションプロトコル(Session Initiation Protocol)（ＳＩＰ）、リアルタイムトランスポートプロトコル(Real-time Transport Protocol)（ＲＴＰ）、ユーザデータグラムプロトコル(User Datagram Protocol)（ＵＤＰ）、伝送制御プロトコル(Transmission Control Protocol)（ＴＣＰ）およびインターネットプロトコル（ＩＰ）のような、様々なデータプロトコルをサポートする。これらのプロトコルは、パケット交換無線ネットワーク上で、ＶｏＩＰ、データおよび他のタイプの呼び出しに使用されることができる。例えば、ＶｏＩＰ呼び出しは、典型的に、ＳＩＰ、ＲＴＰ、ＵＤＰ、ＴＣＰおよびＩＰを利用する。モジュール２４２ａから２４２ｆの各々は、特定の無線技術の無線ネットワークと交換されて信号で送るための処理を実行する。図２において示されるように、ＵＭＴＳは、パケット交換および回路交換、両方の呼び出しをサポートする。一般に、呼び出し処理エンティティ２３０は、任意の無線技術の、任意の数の無線ネットワークの、任意の数のモジュールを含んでもよい。
【００２２】
送信モジュール２５０は、端末１２０ｘ内で、送信機のオペレーションを制御する。受信モジュール２５２は、端末１２０ｘ内で、受信機のオペレーションを制御する。送信機と受信機は、図２では示されていない。上層アプリケーション２１０は、呼び出しマネージャ２２０と通信し、さらに呼び出し処理エンティティ２３０と通信し、さらに送信モジュール２５０と通信し、モジュール２５２を受信する。メモリ２６０は、呼び出しについての無線ネットワークを選択するために使用されるネットワーク選択表２７０を保存することができる。
【００２３】
図２において示されるように、端末１２０ｘは、マルチプル無線ネットワークと通信することができる。異なる無線ネットワークは、異なる機能および要件を有することができる。さらに、端末１２０ｘは、端末によってサポートされる任意のものの無線ネットワークのサービスエリア内にあってもよい。
【００２４】
ユーザあるいは上層アプリケーション２１０は、例えば音声呼び出しのような、特定タイプの呼び出しを行なうことを望んでもよい。ユーザおよび上層アプリケーションは、どの無線ネットワーク（単数または複数）が利用可能か認識していない可能性がある。さらに、ユーザおよび上層アプリケーションは、呼び出しがどのように行なわれているか(how the call is placed)注意しなくてもよい。例えば、音声呼び出しは、（１）１ｘ、ＵＭＴＳあるいはＧＳＭネットワークにおける回路交換呼び出し、あるいは（２）１ｘＥＶ−ＤＯあるいはＵＭＴＳネットワーク、あるいはＷＬＡＮにおけるパケット交換呼び出し(packet-switched call)、のいずれかとして行なわれてもよい。回路交換呼び出しに関して、端末は、端末についてのデータを搬送するために、専用トラフィックチャネルを割り当てられる。パケット交換呼び出しに関しては、データは、共有されるメディアを介して、パケットとして送信される。パケット交換音声呼び出しは、しばしばＶｏＩＰ呼び出しと呼ばれる。ユーザおよび上層アプリケーションから音声呼び出しを行う複雑さ(intricacies)を隠し、根元的な(underlying)音声サービスを得ることにのみ関心があるかもしれないユーザおよび上層アプリケーションにとって透明な発呼を行なうことは望ましいかもしれない。
【００２５】
一態様において、呼び出しマネージャは、ユーザおよび／または上層アプリケーションについての呼び出しを、自動的に開始する。呼び出しマネージャは、ネットワーク利用可能性とネットワーク選択情報とに基づいて、呼び出しについて、最も好ましい無線ネットワークを選択する。ネットワーク利用可能性は、端末についての呼び出しをサポートすることができる無線ネットワークの利用可能性を指す。ネットワーク選択情報は、発呼についての無線ネットワークを選択するために使用されることができる任意の情報である。呼び出しマネージャは、選択された無線ネットワーク上で、呼び出しの開始を試みる。発呼が失敗する場合には、呼び出しマネージャは、ネットワーク利用可能性とネットワーク選択情報とに基づいて、代替無線ネットワークを選択してもよいし、代替無線ネットワーク上の呼び出しの開始を試みてもよい。
【００２６】
自動発呼のために使用されたネットワーク選択情報は、様々な種の情報を伝えることができる。一実施形態においては、ネットワーク選択情報は、端末、各タイプの呼び出しに使用されることができる無線ネットワーク、および無線ネットワークの中のプリファレンスによってサポートされる、無線ネットワークを示す。他の実施形態においては、ネットワーク選択情報は、異なるおよび／またはネットワーク選択に使用された追加情報を伝えることができる。
【００２７】
ネットワーク選択情報は、端末が各タイプのサービスを受信することができるすべての無線ネットワークを、示すことができる。例えば、端末は、１ｘＥＶ−ＤＯおよびＵＭＴＳネットワーク、およびＷＬＡＮ、のようなパケット交換無線ネットワークから、および／または、１ｘ、ＵＭＴＳおよびＧＳＭネットワークのような回路交換無線ネットワークから、の音声サービスを受信することができる可能性がある。端末はまた、パケット交換および／または回路交換無線ネットワークから、データサービスを受信することができる可能性がある。サポートされる無線ネットワークは、端末がサービスを受ける可能性のある無線ネットワークである。サポートされる無線ネットワークは、サービスプロバイダ／ネットワークオペレータを有する加入、サービスプロバイダ間のローミング協定、端末の機能、などに基づいて、決定されることができる。
【００２８】
ネットワーク選択情報はまた、各タイプのサービスについてのすべてのサポートされる無線ネットワークの中で、プリファレンスを示すことができる。例えば、ＶｏＩＰ呼び出しは、回路交換音声呼び出しよりも好まれるかもしれない。さらに、同じタイプの呼び出しをサポートする無線ネットワークの中で、プレファレンスがあってもよい。例えば、ＷＬＡＮ上のＶｏＩＰ呼び出しは、１ｘＥＶ−ＤＯおよびＵＭＴＳ上のＶｏＩＰ呼び出しよりも好まれるかもしれない。別の例として、１ｘ上での回路交換音声呼び出しは、ＧＳＭ上での回路交換音声呼び出しよりも好まれる可能性があり、そしてそれは、ＵＭＴＳ上での回路交換音声呼び出しよりも好まれる可能性がある。プレファレンスは、各タイプの呼び出し、無線ネットワークの機能、端末の機能、サービスプロバイダを有する加入など、についての要件に基づいて、決定されることができる。
【００２９】
図３は、図２におけるネットワーク選択表２７０の一実施形態を示し、それは各タイプの呼び出しについて無線ネットワークを選択するために使用されることができる。図３において示される一実施形態で、端末は、５つの異なる無線ネットワーク（１ｘ、１ｘＥＶ−ＤＯ、ＵＭＴＳ、ＧＳＭおよびＷＬＡＮ）および少なくとも２つの異なるタイプの呼び出し（音声とデータ）をサポートする。サポートされる無線ネットワークは、３つのパケット交換無線ネットワーク（１ｘＥＶ−ＤＯ、ＵＭＴＳおよびＷＬＡＮ）と３つの回路交換無線ネットワーク（１ｘ、ＵＭＴＳおよびＧＳＭ）を含んでいる。
【００３０】
図３において示される実施形態では、音声呼び出しについては、１ｘＥＶ−ＤＯは、最も好まれ、ＷＬＡＮは２番目に最も好まれ、１ｘは３番目に最も好まれ、ＧＳＭは４番目に最も好まれ、回路交換ＵＭＴＳがあまり好まれず、また、パケット交換ＵＭＴＳはサポートされない。この実施形態においては、ＶｏＩＰ呼び出しは、回路交換音声呼び出しよりも好まれる。さらに、１ｘＥＶ−ＤＯ上でのＶｏＩＰ呼び出しは、ＷＬＡＮ上でのＶｏＩＰ呼び出しよりも好まれる。図３において示される実施形態では、データ呼び出しについては、ＷＬＡＮが最も好まれ、１ｘＥＶ−ＤＯは２番目に最も好まれ、パケット交換ＵＭＴＳは３番目に最も好まれ、１ｘは４番目に最も好まれ、回路交換ＵＭＴＳがあまり好まれず、また、ＧＳＭはサポートされない。この実施形態においては、パケット交換データ呼び出しは、回路交換データ呼び出しよりも好まれる。
【００３１】
図３は、ネットワーク選択表の具体的な実施形態を示す。一般に、端末は、任意の数および任意のものの現在展開される無線ネットワークをサポートすることができる。例えば、端末は１ｘおよびＷＬＡＮのみを、１ｘおよび１ｘＥＶ−ＤＯのみを、ＵＭＴＳおよびＧＳＭのみを、あるいは無線ネットワークのいくつかの他の組合せを、サポートしてもよい。端末はまた、任意のタイプの呼び出しをサポートすることができる。例えば、端末はまた、ビデオ電話、音声とビデオの両方を備えたテレビ会議電話、音声とデータの両方を備えたマルチメディア電話、テキストメッセージのためのショートメッセージサービス(Short Message Service)（ＳＭＳ）、ボイスメール通知、および他のテレサービス(tele-services)、および／または他のタイプの呼び出し、をサポートすることができる。異なるタイプの呼び出しは、異なる無線ネットワークプレファレンスに関連していてもよい。
【００３２】
ネットワーク選択情報は、サービスプロバイダによって提供されることができる。例えば、ネットワーク選択情報は、それがアクティブな状態になる(activated)ときに、端末にロードされるプロビジョニング情報の一部であることができる。ネットワーク選択情報はまた、例えば、ユーザプリファレンスに基づいて、提供され、増補され(augmented)、および／または、ユーザによって修正される(revised)ことができる。ネットワーク選択情報は、すべての位置について、静的(static)および適用可能であることができる。あるいは、異なるネットワーク選択表は、異なる地理的なエリア、例えば、１ｘにおける好ましいローミングリスト(preferred roaming list)（ＰＲＬ）に同様である、について、規定されることができる。
【００３３】
図４は、自動発呼を備えた音声呼び出しを開始するためのプロセス４００の一実施形態を示す。この実施形態において、ＶｏＩＰ呼び出しは、回路交換音声呼び出しよりも好まれる。初めに、音声呼び出しについて利用可能な無線ネットワークが識別される（ブロック４１０）。利用可能な無線ネットワークは、（１）端末が登録したことを備える無線ネットワーク、（２）端末がパイロットおよび／またはシグナリングを受信することができる端末の無線ネットワーク、（３）端末が登録したか、あるいは、パイロットおよびシグナリングを受信することができることを備えた無線ネットワークの近くにあると知られている無線ネットワーク、（４）他の無線ネットワーク、であることができる。
【００３４】
パケット交換無線ネットワークがＶｏＩＰ呼び出しについて利用可能かどうか、決定がなされる（ブロック４１２）。パケット交換無線ネットワークが、適切に、例えば、ＩＭＳ／ＭＭＤネットワークに接続される場合には、パケット交換無線ネットワークはＶｏＩＰをサポートしてもよい。簡潔のために、以下の説明は、パケット交換無線ネットワークはＶｏＩＰ可能(VoIP capable)であると仮定する。もし、答えがブロック４１４に対して「はい」である場合には、そのときには、最も好ましいパケット交換無線ネットワークが、ネットワーク選択情報に基づいて利用可能なパケット交換無線ネットワーク（単数または複数）の中から選択される（ブロック４１４）。その後で、ＶｏＩＰ呼び出しの開始は、選択されたパケット交換無線ネットワーク上で試みられる（ブロック４１６）。
【００３５】
パケット交換無線ネットワークが利用可能でなく、答えがブロック４１２に対して「いいえ」である場合は、回路交換無線ネットワークが利用可能かどうか、決定がされる（ブロック４２２）。答えが「はい」である場合は、そのときは、最も好ましい回路交換無線ネットワークは、ネットワーク選択情報に基づいて、利用可能な回路交換無線ネットワーク（あるいは複数）の中から選択される（ブロック４２４）。その後で、回路交換音声呼び出しの開始は、選択された回路交換無線ネットワーク上で試みられる（ブロック４２６）。
【００３６】
ブロック４１６あるいは４２６における発呼を試みた後で、発呼が成功したかどうか、決定がされる（ブロック４３０）。発呼が成功した場合は、プロセスは終了する(terminates)。そうでなく、発呼が失敗した場合は、発呼失敗を有する無線ネットワークは取り除かれ(removed)（ブロック４３２）、また、プロセスは、発呼を試みる別の無線ネットワークを選択するために、ブロックに４１２に戻る。すべての利用可能な無線ネットワークが選択されており、また、答えが両方のブロック４１２および４２２に対して「いいえ」である場合には、プロセスは終了する。
【００３７】
図４において示される実施形態では、発呼は、回路交換無線ネットワーク上での発呼を試みる前に、各々の利用可能なパケット交換無線ネットワーク上で試みられる。一般に、利用可能な無線ネットワークは、ネットワーク選択情報によって決定される任意の順において選択されることができる。
【００３８】
ＶｏＩＰ呼び出し、あるいは、回路交換音声呼び出しについての発呼は、端末、無線ネットワーク、呼び出しが行なわれる遠隔局あるいはサーバなどに関連する様々な理由で失敗する可能性がある。遠隔局は、他のユーザの電話、ＩＭＳ／ＭＭＤネットワークにおけるエンティティ(entity)、あるいは他のあるエンティティであってもよい。例えば、発呼は、利用不可能な無線サービス(unavailable radio service)、認証失敗(authentication failure)、サーバ機能不全(server failure)など、のため、失敗する可能性がある。
【００３９】
ＶｏＩＰ呼び出しについての発呼は、ＶｏＩＰ呼び出しが行なわれる遠隔局とのＳＩＰセッションを確立することを必然的に伴う(entail)ことができる。ＳＩＰは、２００２年６月、公的に利用可能である、「ＳＩＰ：セッションイニシエーションプロトコル(Session Initiation Protocol)」と題されたＲＦＣ  ３２６１において説明される。ＳＩＰセッション確立は様々な理由で失敗する可能性がある。例えば、端末は、ＳＩＰセッション確立についてのＳＩＰリクエストを送信することができ、遠隔局の新しい位置についての、あるいは呼び出しを満たす可能性がある代替サービスについての、情報を与える３ｘｘレスポンスを受信することができる。端末はまた、ＳＩＰサーバからの失敗、例えば、悪いリクエスト、無認証のリクエストなど、を示す、４ｘｘレスポンスを受信してもよい。端末はまた、サーバ機能不全、例えば、サーバ内部エラー、サーバタイムアウト(server timeout)など、を示す、５ｘｘレスポンスを受信してもよい。端末はまた、サーバが、端末によって送信されたＳＩＰリクエストにおいて示される特定のインスタンスだけでなく、特定のユーザに関する限定的な情報(definitive information)を有することを示す、６ｘｘレスポンスを受信してもよい。様々なＳＩＰ失敗は、セクション２１．３から２１．６と他のセクションのＲＦＣ  ３２６１において、説明されている。
【００４０】
図５は、自動発呼を備えた音声呼び出しを開始するためのプロセス５００の一実施形態を示す。音声呼び出しについて利用可能な無線ネットワークが識別される（ブロック５１０）。図５において示される一実施形態では、ＶｏＩＰ呼び出しは、回路交換音声呼び出しよりも好まれ、少なくとも１つのパケット交換無線ネットワークが利用可能である。第１の無線ネットワークは、ネットワーク選択情報に基づいて、利用可能なパケット交換無線ネットワーク（単数または複数）の中から選択される（ブロック５１２）。第１の無線ネットワークは、ネットワーク選択情報によって示されるように、利用可能なパケット交換無線ネットワーク（単数または複数）中で、最も好まれる。パケット交換音声呼び出しの開始は、第１の無線ネットワーク上で試みられる（ブロック５１４）。
【００４１】
発呼が成功したかどうか、決定がされる（ブロック５１６）。発呼が成功した場合は、そのとき、プロセスは終了する。そうでなく、発呼が失敗した場合には、第２の無線ネットワークは、ネットワーク選択情報に基づいて、利用可能な無線ネットワーク（単数または複数）の中から選択される（ブロック５１８）。第２の無線ネットワークが回路交換無線ネットワークである場合は、そのときは、回路交換音声呼び出しの開始は第２の無線ネットワーク上で試みられる（ブロック５２０）。図５において示されてはいないが、追加の無線ネットワークは選択されることができ、また、すべての利用可能な無線ネットワーク上で発呼が成功するか、あるいは、試みられるまで、発呼は各選択された無線ネットワーク上で試みられることができる。
【００４２】
図５において示される実施形態では、第１の無線ネットワークはパケット交換無線ネットワークであり、第２の無線ネットワークは回路交換無線ネットワークである。他の実施形態において、第１および第２の無線ネットワークは各々、パケット交換無線ネットワークあるいは回路交換無線ネットワークであってもよい。
【００４３】
一実施形態において、第１の無線ネットワークは、ＷＷＡＮ（例、１ｘＥＶ−ＤＯあるいはＵＭＴＳ）あるいはＷＬＡＮ（例、Ｗｉ−Ｆｉ）であってもよく、第２の無線ネットワークはＷＷＡＮ（例、１ｘ、ＵＭＴＳあるいはＧＳＭ）である。他の実施形態においては、第１および第２の無線ネットワークは各々ＷＷＡＮまたはＷＬＡＮであってもよい。
【００４４】
図６は、自動発呼を備えた呼び出しを開始するためのプロセス６００の一実施形態を示す。特定タイプの呼び出し（例、音声呼び出しあるいはデータ呼び出し）を開始する指示は受信される（ブロック６１０）。この指示はユーザあるいは上層アプリケーションから生じうる。呼び出しをサポートする無線ネットワークは、例えばネットワーク選択情報に基づいて、識別される（ブロック６１２）。呼び出しは、パケット交換無線ネットワークのみ、回路交換無線ネットワークのみ、あるいはパケット交換および回路交換の両方の無線ネットワーク、によってサポートされることができる。
【００４５】
例えば、図４に関して、上記に説明されるように、呼び出しについて利用可能な無線ネットワークが決定される（ブロック６１４）。いくつかのあるいはすべてのサポートされる無線ネットワークは、呼び出しが行なわれるとき、利用可能であってもよい。利用可能な無線ネットワークは、例えば、最も好ましいものからあまり好ましくないものまでを、ネットワーク選択情報に基づいて、ランク付けされる。
【００４６】
最も好ましい利用可能な無線ネットワークは選択されている（ブロック６１８）。その後で、呼び出しの開始は、選択された無線ネットワーク上で試みられる（ブロック６２０）。その後で、発呼が成功したかどうか、決定がされる（ブロック６２２）。答えが「はい」である場合、プロセスは終了する。そうでなければ、発呼失敗を有する無線ネットワークは取り除かれる（ブロック６２４）。ブロック６２６において決定されるように、すべての利用可能な無線ネットワークが選択されなかった場合、そのときに、プロセスは、発呼を試みるために、次に最も好ましい利用可能な無線ネットワークを選択するように、ブロック６１８に戻る。そうでなく、すべての利用可能な無線ネットワークが選択されている場合、プロセスは終了する。
【００４７】
図６で示される一実施形態において、パケット交換無線ネットワークおよび回路交換無線ネットワークは、ネットワーク選択情報によって示されたプリファレンスによって決定される特定の順に選択されることができる。適切なように、回路交換あるいはパケット交換呼び出しは、選択された無線ネットワーク上で、開始される。
【００４８】
図７は、自動発呼を備えた呼び出しを開始するためのプロセス７００の一実施形態を示す。特定タイプの呼び出し（例、音声呼び出しあるいはデータ呼び出し）を開始する指示は受信される（ブロック７１０）。呼び出しは、マルチプル無線ネットワークによってサポートされることができ、また、サポートされる無線ネットワークのうちの１つ以上は利用可能であってもよい。第１の無線ネットワークは、ネットワーク選択情報と呼び出しをサポートする無線ネットワークの利用可能性とに基づいて、呼び出しについて選択される（ブロック７１２）。ネットワーク選択情報は、呼び出しをサポートする無線ネットワークの中で、プリファレンスを示すことができる。第１の無線ネットワークは、呼び出しをサポートする利用可能な無線ネットワークの中で、最も好ましい無線ネットワークであってもよい。呼び出しの開始は、第１の無線ネットワーク上で試みられる（ブロック７１４）。
【００４９】
その後で、発呼が成功したかどうか、決定がされる（ブロック７１６）。答えが「はい」である場合、プロセスは終了する。そうでなければ、第２の無線ネットワークは、ネットワーク選択情報と、呼び出しをサポートする無線ネットワークの利用可能性とに基づいて、呼び出しについて選択される（ブロック７１８）。第２の無線ネットワークは、呼び出しをサポートする利用可能な無線ネットワークの中で、次に最も好まれた無線ネットワークであってもよい。呼び出しの開始は、第２の無線ネットワーク上で試みられる（ブロック７２０）。
【００５０】
一実施形態において、第１の無線ネットワークはパケット交換無線ネットワークであり、第２の無線ネットワークは回路交換無線ネットワークである。他の実施形態においては、第１および第２の無線ネットワークは各々、パケット交換無線ネットワークあるいは回路交換無線ネットワークであってもよい。
【００５１】
図８は、マルチプル無線ネットワークについての自動発呼を実行することが可能なマルチモード端末１２０ｙの一実施形態のブロック図を示す。端末１２０ｙは、図１において示される任意の端末であってもよい。
【００５２】
送信経路(transmit path)上で、符号器８２２は、端末１２０ｙによって、基地局、あるいは回路交換無線ネットワークにおけるノードＢ、あるいはパケット交換無線ネットワークにおけるアクセスポイントまたはノードＢに、送信されるべきシグナリングおよびデータを受信する。符号器８２２は、適切な符号化するスキームに従って、データとシグナリングを処理する（例、フォーマットし、符号化し、そしてインタリーブする）。変調器（Ｍｏｄ）８２４は、符号化されたデータとシグナリングをさらに処理し（例えば、変調し、スクランブルする）、データチップを生成する。一般に、符号器８２２および変調器８２４による処理は、どのデータが送信されるか、無線ネットワーク、例えば、１ｘ、１ｘＥＶ−ＤＯ、ＵＭＴＳ、ＧＳＭあるいはＷｉ−Ｆｉ、によって決定される。送信機（ＴＭＴＲ）８３２は、データチップをコンディションし(conditions)（例えば、アナログに変換し、フィルタリングし、増幅し、そして、周波数アップコンバートし(frequency up converts)）、そしてアンテナ８３４を介して送信されるＲＦ出力信号を生成する。簡潔のために、図８は、各処理ユニットの一例を示す。一般に、１つあるいはマルチプルのモデムプロセッサ、送信機、受信機、コントローラおよび端末１２０ｙによってサポートされる異なる無線技術についてのメモリ、があってもよい。
【００５３】
受理経路(receive path)上では、アンテナ８３４は、基地局と、回路交換無線ネットワークおよび／またはアクセスポイントにおけるノードＢと、パケット交換無線ネットワークにおけるノードＢと、によって送信されたＲＦ信号を受信する。受信機（ＲＣＶＲ）８３６は、アンテナ８３４からの受信ＲＦ信号を、コンディションし（例、フィルタリングし、増幅し、周波数ダウンコンバートし、そしてデジタル化する）、そしてデータサンプルを生成する。復調器（Ｄｅｍｏｄ）８２６は、データサンプルを処理し（例、逆スクランブルし、復調する）、シンボル推定値を提供する。復号器８２８はシンボル推定値を処理し（例、非インタリーブし復号化する）、また復号化されたデータを提供する。一般に、復調器８２６および復号器８２８による処理は、基地局とノードＢとアクセスポイントと、において、変調器と符号器によって実行される、処理を補完する。符号器８２２、変調器８２４、復調器８２６および復号器８２８は、モデムプロセッサ８２０によって、インプリメントされることができる。
【００５４】
コントローラ／プロセッサ８４０は、端末１２０ｙにおいて、様々な処理ユニットのオペレーションを指図する。コントローラ／プロセッサ８４０および／または端末１２０ｙ内の他の処理ユニットは、図２における処理モジュール２００をインプリメントすることができる。コントローラ／プロセッサ８４０はまた、図４におけるプロセス４００、図５におけるプロセス５００、図６におけるプロセス６００、および／または、図７におけるプロセス７００をインプリメントあるいは指図することができる。メモリ８４２は、端末１２０ｙについてのプログラムコードおよびデータを保存する。メモリ８４２はまた、端末１２０ｙおよびそれらのプレファレンスによってサポートされる無線ネットワークについてのネットワーク選択情報、例えば、図３におけるネットワーク選択表２７０、を保存することができる。
【００５５】
明確にするため、自動発呼は５つの特定の無線ネットワークについて説明されてきた。一般に、自動発呼は、任意の数の無線ネットワークおよび任意の組合せの無線ネットワークについて実行されることができる。
【００５６】
ここに説明された自動発呼技術は、様々な利点を提供することができる。初めに、シームレス発呼経験(seamless call origination experience)は、ユーザおよび上層アプリケーションが発呼の複雑さを認識する必要はないので、ユーザおよび上層アプリケーションのために提供されることができる。呼び出しマネージャは、最初に最も好ましい無線ネットワーク上での発呼を試みることができて、発呼失敗の場合には、別の無線ネットワークに対するフォールバックを取り扱う(handle)ことができる。第２に、上層アプリケーションの複雑さは自動発呼で単純化されることができる。上層アプリケーションは、発呼についての複数の単純なＡＰＩを介して呼び出しマネージャと通信することができる。複数の同じＡＰＩはすべてのサポートされる無線ネットワークのために使用されることができる。呼び出しマネージャは、各異なる無線ネットワークを有する発呼についての必要な機能をインプリメントすることができる。呼び出しマネージャは、端末で使用されるチップセットの製造業者(manufacturer)によって設計されることができる。上層アプリケーションは、端末の原型機器の製造業者(original equipment manufacturer)（ＯＥＭ）によって設計されもよい。自動発呼は、ＯＥＭによる上層アプリケーションの設計を単純化することができる。他の利点もここに説明される自動発呼によって得られることができる。
【００５７】
ここに説明された自動発呼技術は、様々な手段によってインプリメントされることができる。例えば、これらの技術は、ハードウェア、ファームウェア、ソフトウェアあるいはそれの組合せにおいてインプリメントされてもよい。ハードウェアインプリメンテーションに関しては、自動発呼を実行するために使用される処理ユニットは、１つ以上の特定用途向け集積回路(application specific integrated circuits)（ＡＳＩＣｓ）、デジタル信号プロセッサ（ＤＳＰｓ）、デジタル信号処理デバイス（ＤＳＰＤｓ）、プログラマブル論理デバイス（ＰＬＤｓ）、フィールドプログラマブルゲートアレイ（ＦＰＧＡｓ）、プロセッサ、コントローラ、マイクロコントローラ、マイクロプロセッサ、電子デバイス、ここで説明された機能を実行するように設計された他の電子ユニット、あるいはそれの組合せの中でインプリメントされることができる。
【００５８】
ファームウェアおよび／またはソフトウェアインプリメンテーションに関して、自動発呼は、ここに説明される機能を実行するモジュール（例、手続き、機能など）でインプリメントされることができる。ファームウェアおよび／またはソフトウェアコードは、メモリ（例、図８の中のメモリ８４２）において保存され、プロセッサ（例、プロセッサ８４０）によって実行されることができる。メモリは、プロセッサ内あるいはプロセッサの外でインプリメントされてもよい。
【００５９】
開示された実施形態の、以上の説明は、いずれの当業者も本発明を作り、使用することができるように提供される。これらの実施形態に対する様々な修正は、当業者にとって容易に明らかであろう、そして、ここにおいて定義された包括的な原理は、本発明の精神あるいは範囲から逸脱することなく、他の実施形態に適用されることができる。したがって、本発明は、ここに示された実施形態に限定されるようには意図されておらず、ここに開示された原理および新規な特徴に整合する最も広い範囲が与えられるべきである。
【図面の簡単な説明】
【００６０】
【図１】図１は、様々な無線ネットワークの展開を示す。
【図２】図２は、マルチモード端末についての処理モジュールを示す。
【図３】図３は、ネットワーク選択表を示す。
【図４】図４は、自動的に音声呼び出しを開始するプロセスを示す。
【図５】図５は、自動的に音声呼び出しを開始する別のプロセスを示す。
【図６】図６は、自動発呼についてのプロセスを示す。
【図７】図７は、自動発呼についての別のプロセスを示す。
【図８】図８は、マルチモード端末のブロック図を示す。
【図１】
2009526444.tif 000003
【図２】
2009526444.tif 000004
【図３】
2009526444.tif 000005
【図４】
2009526444.tif 000006
【図５】
2009526444.tif 000007
【図６】
2009526444.tif 000008
【図７】
2009526444.tif 000009
【図８】
2009526444.tif 000010
【国際調査報告】
2009526444.tif 000011
2009526444.tif 000012
2009526444.tif 000013
2009526444.tif 000014
2009526444.tif 000015
2009526444.tif 000016